(57)【特許請求の範囲】
【請求項１】
入力された画像信号を、第１の色空間の画像信号に色補正する色補正工程と、前記色補正工程において色補正された画像信号を、記録を実行する際の記録モードに対応する色分解テーブルを用いて、前記第１の色空間と色再現域が異なる第２の色空間の画像信号に色分解する色分解工程と、
前記色分解工程において色分解された画像信号に基づいて、設定された前記記録モードで記録を実行することにより記録媒体に画像を記録する記録工程と、
を備える記録方法であって、
前記色分解工程において、前記色補正工程において色補正された第１の画像信号を第１の記録モードに対応する色分解テーブルを用いて色分解した画像信号に基づいて、前記記録工程において前記第１の記録モードで記録を実行することにより記録された第１の画像の測色値と、前記色補正工程において色補正された第１の画像信号を前記第１の記録モードとは異なる第２の記録モードに対応する色分解テーブルを用いて色分解した画像信号に基づいて、前記記録工程において前記第２の記録モードで記録を実行することにより記録された第２の画像の測色値と、の色差ΔＥが１．２未満であり、前記色補正工程において色補正された第２の画像信号を前記第１の記録モードに対応する色分解テーブルを用いて色分解した画像信号に基づいて、前記記録工程において前記第１の記録モードで記録を実行することにより記録された第３の画像の測色値と、前記色補正工程において色補正された第２の画像信号を前記第２の記録モードに対応する色分解テーブルを用いて色分解した画像信号に基づいて、前記記録工程において前記第２の記録モードで記録を実行することにより記録された第４の画像の測色値と、の色差ΔＥが１．２以上であることを特徴とする記録方法。
【請求項２】
入力された画像信号を、第１の色空間の画像信号に色補正する色補正工程と、前記色補正工程において色補正された画像信号を、記録を実行する際の記録モードに対応する色分解テーブルを用いて、前記第１の色空間と色再現域とは異なる第２の色空間の画像信号に色分解する色分解工程と、
前記色分解工程において色分解された画像信号に基づいて、設定された前記記録モードで記録を実行することにより記録媒体に画像を記録する記録工程と、
を備える記録方法であって、
（Ａ）色補正された信号が第１の画像信号である場合、前記色分解工程において、第１の記録モードで記録を実行することにより記録される画像の測色値と、第２の記録モードで記録を実行することにより記録される画像の測色値と、の色差ΔＥが１．２未満となるような画像信号に色分解し、（Ｂ）色補正された信号が前記第１の画像信号とは異なる第２の画像信号である場合、前記色分解工程において、前記第１の記録モードで記録を実行することにより記録される画像の測色値と、前記第２の記録モードで記録を実行することにより記録される画像の測色値と、の色差ΔＥが１．２以上となるような画像信号に色分解することを特徴とする記録方法。
【請求項３】
前記記録工程において、前記記録媒体にインクを吐出して記録を行うことを特徴とする請求項１または２に記載の記録方法。
【請求項４】
前記第１の記録モードと、前記第２の記録モードとの間では、前記記録媒体にインクを吐出して画像を記録する記録ヘッドと前記記録媒体の単位領域との相対走査の回数、前記記録ヘッドの走査速度、記録解像度のうち少なくとも１つが異なることを特徴とする請求項１乃至３のいずれか１項に記載の記録方法。
【請求項５】
第１の記録モード及び第２の記録モードで記録媒体への画像の記録を実行可能な記録装置のための画像処理装置であって、
入力された画像信号を、第１の色空間の画像信号に色補正する色補正手段と、
前記記録装置が記録を実行する際の記録モードに対応する色分解テーブルを選択する選択手段と、
前記色補正手段により色補正された信号を、前記選択手段により選択された色分解テーブルを用いて前記第１の色空間と色再現域が異なる第２の色再現域の画像信号に色分解する色分解手段と、を備え、
（Ａ）前記色補正手段により色補正された信号が第１の画像信号である場合、前記記録装置が前記第１の記録モードで記録を実行することにより記録される画像の測色値と、前記記録装置が前記第２の記録モードで記録を実行することにより記録される記録される画像の測色値と、の色差ΔＥが１．２未満であり、（Ｂ）前記色補正手段により色補正された信号が前記第１の画像信号とは異なる第２の画像信号である場合、前記記録装置が前記第１の記録モードで記録を実行することにより記録される画像の測色値と、前記記録装置が前記第２の記録モードで記録を実行することにより記録される画像の測色値と、の色差ΔＥが１．２以上であることを特徴とする画像処理装置。
【請求項６】
前記第１の色空間はＲＧＢ空間であり、前記第２の色再現域の画像信号は記録装置が記録媒体に付与する記録材の色に対応する信号であることを特徴とする請求項５に記載の画像処理装置。
【請求項７】
画像を記録媒体に記録するための第１の記録モード及び第２の記録モードを含む複数の記録モードで記録を実行可能な記録装置のための画像処理装置であって、
入力された画像信号を、色補正情報を用いて第１の色空間の画像信号に色補正する色補正手段と、
前記記録装置が前記第１の記録モードで記録を実行する場合には第１テーブルを用い、前記記録装置が前記第２の記録モードで記録を実行する場合には第２テーブルを用いるように、前記記録装置が実行する記録モードに対応するテーブルを用いて、前記色補正手段において色補正された画像信号を前記第１の色空間とは色再現域が異なる第２の色空間の画像信号に色分解する色分解手段と、を備え、
前記記録装置が前記第１の記録モードで記録を実行することにより色再現可能な第１色再現域は第３色再現域を含み、且つ、前記記録装置が前記第２の記録モードで記録を実行することにより色再現可能な第２色再現域は前記第３色再現域を含み、
前記第１テーブルを用いて第１画像信号を色分解した第２画像信号に基づいて前記第１の記録モードで記録を実行することにより色再現される第１の色は、前記第３色再現域に含まれ、且つ、前記第２テーブルを用いて前記第１画像信号を色分解した第３画像信号に基づいて前記第２の記録モードで記録を実行することにより色再現される第２の色は、前記第３色再現域に含まれ、
前記第１テーブルを用いて前記第１画像信号とは異なる第４画像信号を色分解した第５画像信号に基づいて前記第１の記録モードで記録を実行することにより色再現される第３の色は、前記第１色再現域に含まれるが前記第２色再現域および前記第３色再現域には含まれず、且つ、前記第２テーブルを用いて前記第４画像信号を色分解した第６画像信号に基づいて前記第２の記録モードで記録を実行することにより色再現される第４の色は、前記第２色再現域に含まれるが前記第３色再現域には含まれないことを特徴とする画像処理装置。
【請求項８】
前記第１画像信号及び前記第４画像信号はＲＧＢ信号であり、前記第２画像信号、前記第３画像信号、前記第５画像信号及び前記第６画像信号は記録装置が記録媒体に付与する記録材の色に対応する信号であることを特徴とする請求項７に記載の画像処理装置。  
【請求項９】
前記第１の色空間はＲＧＢ空間であり、前記第２の色空間は記録装置が記録媒体に付与する記録材の色で定義される色空間であることを特徴とする請求項７または８に記載の画像処理装置。
【請求項１０】
前記第１の色と前記第２の色との色差は所定値よりも小さくなり、前記第３の色と前記第４の色との色差が前記所定値以上であることを特徴とする請求項７乃至９のいずれか１項に記載の画像処理装置。
【請求項１１】
ＣＩＥ−Ｌａｂ空間において、前記所定値は、ΔＥ＝１．２であることを特徴とする請求項１０に記載の画像処理装置。
【請求項１２】
前記第１の記録モードと前記第２の記録モードとでは、前記記録装置に備えられた記録ヘッドが前記記録媒体上の単位領域に対して相対走査する回数、前記相対走査の速度、記録される画像の記録解像度のうち、少なくとも１つが異なることを特徴とする請求項７乃至１１のいずれか１項に記載の画像処理装置。
【請求項１３】
前記第１色再現域は前記第２色再現域を含み、第２色再現域より広い色再現域であることを特徴とする請求項７乃至１２のいずれか１項に記載の画像処理装置。
【請求項１４】
前記色補正情報は、前記入力された画像信号の値と前記第１の色空間の画像信号の値とを対応付ける色補正テーブルであることを特徴とする請求項７乃至１３のいずれか１項に記載の画像処理装置。
【請求項１５】
前記色補正手段は、複数の記録モードに共通な色補正情報を用いて前記入力された画像信号を、前記第１の色空間の画像信号に色補正することを特徴とする請求項７乃至１４のいずれか１項に記載の画像処理装置。
【請求項１６】
前記色分解手段によって色分解されて得られる画像信号に基づいて、前記記録媒体に記録材を付与して画像を記録する記録手段をさらに含むことを特徴とする請求項５乃至１５のいずれか１項に記載の画像処理装置。
【請求項１７】
前記記録装置はインクを記録媒体に付与することによって記録を行うことを特徴とする請求項５乃至１６のいずれか１項に記載の画像処理装置。
【請求項１８】
画像を記録媒体に記録するための第１の記録モード及び第２の記録モードを含む複数の記録モードで記録を実行可能な記録装置のための画像処理方法であって、
入力された画像信号を、色補正情報を用いて第１の色空間の画像信号に色補正する色補正工程と、
前記記録装置が前記第１の記録モードで記録を実行する場合には第１テーブルを用い、前記記録装置が前記第２の記録モードで記録を実行する場合には第２テーブルを用いるように、前記記録装置が実行する記録モードに対応するテーブルを用いて、前記色補正工程において色補正された画像信号を前記第１の色空間とは色再現域が異なる第２の色空間の画像信号に色分解する色分解工程と、を備え、
前記記録装置が前記第１の記録モードで記録を実行することにより色再現可能な第１色再現域は第３色再現域を含み、且つ、前記記録装置が前記第２の記録モードで記録を実行することにより色再現可能な第２色再現域は前記第３色再現域を含み、
前記第１テーブルを用いて第１画像信号を色分解した第２画像信号に基づいて前記第１の記録モードで記録を実行することにより色再現される第１の色は、前記第３色再現域に含まれ、且つ、前記第２テーブルを用いて前記第１画像信号を色分解した第３画像信号に基づいて前記第２の記録モードで記録を実行することにより色再現される第２の色は、前記第３色再現域に含まれ、
前記第１テーブルを用いて前記第１画像信号とは異なる第４画像信号を色分解した第５画像信号に基づいて前記第１の記録モードで記録を実行することにより色再現される第３の色は、前記第１色再現域に含まれるが前記第３色再現域には含まれず、且つ、前記第２テーブルを用いて前記第４画像信号を色分解した第６画像信号に基づいて前記第２の記録モードで記録を実行することにより色再現される第４の色は、前記第２色再現域に含まれるが前記第３色再現域には含まれないことを特徴とする画像処理方法。
【発明の詳細な説明】
【技術分野】
【０００１】
本発明は、複数の記録モードの中から１つを実行することにより記録媒体に画像を記録する記録方法、画像処理装置及び画像処理方法に関する。
【背景技術】
【０００２】
近年、インクジェットプリンタで代表される記録装置（印刷装置）において、複数種類の記録媒体に対応可能であることが求められている。記録材としてのインクは、Ｃ（シアン）、Ｍ（マゼンタ）、Ｙ（イエロー）、Ｋ（ブラック）の他に、ＰＣ（淡シアン）、ＰＭ（淡マゼンタ）、Ｇｙ（グレイ）等が用いられている。さらに、色再現域拡大のために、Ｒ（レッド）、Ｇ（グリーン）、Ｂ（ブルー）などのインクを追加する記録システムが知られている。このようなカラー記録装置は、ＰＣ（パーソナルコンピュータ）に接続される。そして、ＰＣ上で制作された記録データをプリンタドライバやＲＩＰ（Ｒａｓｔｅｒ  Ｉｍａｇｅ  Ｐｒｏｃｅｓｓｏｒ）ソフトウェアソリューションを用いて処理することにより、紙などの記録媒体に記録される。ＰＣと記録装置を用いる記録システムにおける画像処理では、一般的に、カラー調整処理、カラーマッチング（色補正）処理、色材色分解処理、ハーフトーニング処理を行った後、記録媒体上にインクを吐出することにより画像が記録される。ＰＣから記録装置へ出力される画像データは、プリンタドライバを用いる場合はＲＧＢ信号の画像データであり、ＲＩＰソフトソリューションを用いる場合はＣＭＹＫ信号の画像データである。
【０００３】
このような記録システムにおいて、色材色分解処理は、記録媒体毎に適切な色材色分解情報が用意される。また、カラーマッチング処理は、記録目的別（例えば、「写真調」、「鮮やかさ優先」、「色差優先」など）にカラーマッチング情報が用意される。これらの情報は、メーカ独自形式のカラーパラメータとして、またＩＣＣカラープロファイル形式で記憶・管理して使用されている。
【０００４】
また、インクジェットプリンタを用いる記録システムにおいては、目的に応じた複数の記録モードが用意されている。記録モードとは、画像を記録する目的に応じた記録条件であり、これらの記録モードを実行することにより記録媒体に画像を記録する。例えば、高画質な画像を記録する画質重視モードや、早いスピードで記録するスピード優先モードなどがある。一般には、画質重視モードである「きれい」、スピード優先モードである「はやい」、その中間である「標準」など段階的に選択可能になっており、ＵＩ表示で設定することができる。尚、画質重視モードは、標準のモードと比較して、記録解像度を相対的に高密度（１２００×２４００ｄｐｉ）にする、マルチパス記録における走査の回数を増やす、インクを吐出する記録ヘッドのキャリッジ速度を遅くする等の記録条件の制御により実現する。スピード優先モードは、標準のモードよりも、記録解像度を相対的に低密度（１２００×１２００ｄｐｉ）にする、マルチパス記録における走査の回数を減らす、記録ヘッドのキャリッジ速度を速くする等の記録条件の制御により実現する。
【０００５】
このように記録条件が設定されると、各記録モードによって再現可能な色域が決定する。例えば、画質重視モードは、記録媒体の単位面積に打ち込むインクの量の最大値（以下、最大インク打ち込み量と呼ぶ）がスピード優先モードよりも多く、スピード優先モードよりも広い色域を再現することが可能である。特許文献１には、各記録モードの出力特性を考慮し、再現可能な色域を最大限使用するように各記録モードに対応する色分解テーブルを作成することが記載されている。
【先行技術文献】
【特許文献】
【０００６】
【特許文献１】特開平９−１８６８９８号公報
【発明の概要】
【発明が解決しようとする課題】
【０００７】
しかしながら、特許文献１のように記録モード毎に最適な色分解テーブルを生成する場合、同じ入力画像信号であっても記録モードによって異なる色の画像が記録される場合があった。
【０００８】
図１３（ａ）は、相対的に色再現域の広い記録モードＡに対応する色分解テーブルと、相対的に色再現域の狭い記録モードＢに対応する色分解テーブルとを示した図であり、図１３（ｂ）は、記録モードＡ及びＢの色再現域を示している。これらの色分解テーブルに同じ画像信号（ＲＧＢ値）が入力され、それぞれ色分解して画像を記録した場合、記録モードＡで記録した画像の色再現値（Ｌ＊ａ＊ｂ＊値）は点１２１、記録モードＢで記録した画像の色再現値は点１２２となる。すなわち、記録モードによらず、同じ入力画像信号に対して同じ色の画像を記録するためには、各色分解テーブルに対応するカラーマッチングテーブルをそれぞれ用意する必要があった。
【０００９】
また、「写真調」「鮮やかさ優先」「色差優先」等の記録目的、及び、記録媒体の種類によってもカラーマッチングテーブルを異ならせる必要がある。このため、複数の記録目的及び複数の記録媒体の中からそれぞれ選択可能な記録システムにおいては、その数に応じたカラーマッチングテーブルを用意する必要がある。例えば、３種類の記録モード、３種類の記録目的、３種類の記録媒体に対応する記録システムの場合には、３×３×３＝２７種類のカラーマッチングテーブルが必要である。
【００１０】
このように記録媒体の種類、記録モード、記録目的の数に対応するカラーマッチングテーブルを用意することは、設計工数の増大やこれらの情報を格納するメモリの大容量化につながるだけでなく、記録時の処理負荷も高くなってしまう。ユーザ自身でカラーマッチングテーブルであるプロファイルを作成する場合にも、記録モード毎に作成しなければならず、負荷が高い。このとき、記録モード毎にカラーマッチング情報であるＩＣＣプロファイルを指定する必要があり、記録時の利便性が低くなるという課題があった。
【００１１】
本発明はこのような課題を鑑みてなされたものであり、記録モード毎の色再現域を最大限に活用しつつ、処理負荷が低く、メモリの大容量化を抑制可能な画像処理方法及び画像処理装置を提供する。
【課題を解決するための手段】
【００１２】
上記の課題を解決するために、本発明は、入力された画像信号を、第１の色空間の画像信号に色補正する色補正工程と、前記色補正工程において色補正された画像信号を、記録を実行する際の記録モードに対応する色分解テーブルを用いて、前記第１の色空間と色再現域が異なる第２の色空間の画像信号に色分解する色分解工程と、前記色分解工程において色分解された画像信号に基づいて、設定された前記記録モードで記録を実行することにより記録媒体に画像を記録する記録工程と、を備える記録方法であって、前記色分解工程において、前記色補正工程において色補正された第１の画像信号を第１の記録モードに対応する色分解テーブルを用いて色分解した画像信号に基づいて、前記記録工程において前記第１の記録モードで記録を実行することにより記録された第１の画像の測色値と、前記色補正工程において色補正された第１の画像信号を前記第１の記録モードとは異なる第２の記録モードに対応する色分解テーブルを用いて色分解した画像信号に基づいて、前記記録工程において前記第２の記録モードで記録を実行することにより記録された第２の画像の測色値と、の色差ΔＥが１．２未満であり、前記色補正工程において色補正された第２の画像信号を前記第１の記録モードに対応する色分解テーブルを用いて色分解した画像信号に基づいて、前記記録工程において前記第１の記録モードで記録を実行することにより記録された第３の画像の測色値と、前記色補正工程において色補正された第２の画像信号を前記第２の記録モードに対応する色分解テーブルを用いて色分解した画像信号に基づいて、前記記録工程において前記第２の記録モードで記録を実行することにより記録された第４の画像の測色値と、の色差ΔＥが１．２以上であることを特徴とする。
【発明の効果】
【００１３】
本発明によれば、各記録モードにそれぞれ対応するカラーマッチングテーブルを用意することなく、カラーマッチングテーブルを記録モード間で共通化することが可能となる。これにより、カラーマッチングテーブル生成に係る設計工数の低減や、カラーマッチング処理情報数の削減による記憶媒体のメモリ容量削減効果がある。
【図面の簡単な説明】
【００１４】
【図１】従来例と本発明のカラー記録装置システムにおける画像処理部の概略構成ブロック図
【図２】本発明のカラー記録装置の概略装置図
【図３】記録設定をするためのメニュー画面の一例を示した図
【図４】本発明によるカラー記録装置システムの全体構成図
【図５】本発明の色分解テーブル作成方法の概略を示すフローチャート
【図６】図６にある色再現保持領域の決定方法を示すフローチャート
【図７】本発明による第一の実施形態である保持領域設定方法を説明する図
【図８】本発明による第二の実施形態である保持領域設定方法を説明する図
【図９】本発明による第三の実施形態である保持領域設定方法を説明する図
【図１０】図５にある色分解テーブル作成処理のフローチャート
【図１１】本実施形態の色分解テーブルの格子点を決定する方法を説明する図
【図１２】本発明による色分解テーブルの色再現領域を示す概念図
【図１３】従来の色分解テーブルの色再現領域を示す概念図
【図１４】従来と本発明の色変換処理の概略を示す図
【図１５】本発明のカラー記録装置システムにおける画像処理部の概略構成ブロック図
【発明を実施するための形態】
【００１５】
（第１の実施形態）
図２は、本実施形態に用いるシリアル型のインクジェット記録装置の概略構成を示す斜視図である。記録ヘッド１２は主走査方向Ｓ１に一定の速度で移動するキャリッジ１３に搭載され、上記一定の速度に対応した周波数で、吐出データに基づいてインクを吐出する。１回の走査が終了すると、搬送ローラおよび補助ローラが回転し、これらのローラと給紙ローラおよび補助ローラに挟持された記録媒体Ｐは、記録ヘッド１２の記録幅に対応した量だけ、主走査方向Ｓ１と交差する副走査方向Ｓ２に搬送される。このような記録ヘッドの走査と記録媒体の搬送動作とを交互に繰り返すことにより、記録媒体Ｐ上に段階的に画像を記録する。記録ヘッド１２には、各インク色に対応する吐出基板が主走査方向に沿って配置され、それぞれの吐出基板には、複数のノズルが副走査方向に沿って配置されている。
【００１６】
図４は、本実施形態の記録システム全体の構成を示したブロック図である。ホスト（ＰＣ）４００は、ＣＰＵ４０１、メモリ４０２、外部記憶部４０３、操作部４０４、インターフェース部４０５、表示部４０６、記録装置４０７、測色器４０８を備える。ＣＰＵ４０１は、メモリ４０２に格納されたデータやプログラム（プリンタドライバ、その他のプログラム）を用いて画像処理を行う。本発明を実施するプログラムや実施するのに必要なデータは、外部記憶部４０３であるハードディスクに格納され、必要に応じてメモリ４０２にロードされる。例えば、ＯＳ、プリンタドライバ、後述する色分解テーブルを生成するためのソフトウェアプログラム、記録すべき画像データ、画像データを生成する為のアプリケーションソフトウェア、各プログラムに必要な各種データ等が格納されている。ユーザインタフェース（以下、ＵＩと呼ぶ）となる操作部４０４は、ユーザによる指示を入力するものであり、キーボードやマウス等の入力Ｉ／Ｆ機器等からなる。表示部４０６は、ユーザによる指示を入力するための画面、処理経過や結果を表示するモニタ等の表示装置を示す。また、ホスト４００は、インターフェース部４０５を介して、記録媒体に画像を記録する記録装置４０７と接続されている。本実施形態において、記録装置４０７はインクジェットプリンタの例を用いているが、熱転写プリンタやドットプリンタ等であってもよい。以上の構成により、本実施形態における記録システムが形成されている。
【００１７】
一方、ホスト４００には、インターフェース部４０５を介して測色器４０８が接続されている。測色器４０８は、記録装置４０７が記録したパッチチャートのパッチ部を測色し、その結果を外部記憶部４０３に格納する。ホスト４００は、記録装置４０７、測色器４０８の制御に関して、各種の情報及びデータの送受信を行う。これらの制御は、メモリ４０２及びＣＰＵ４０１を用いて、外部記憶部４０３に格納されたソフトウェアを実行することにより行われる。このように測色器４０８を加えたシステム構成にすることにより、後述する色分解テーブル生成方法を提供することが可能になる。本実施形態において、測色器４０８は、記録装置４０７とは別の構成をとっているが、記録装置４０７が測色器４０８を内蔵する測色器内蔵出力デバイスの構成であってもよい。また、本実施形態の画像処理は、ホスト４００において動作するプリンタドライバなどのソフトウェアによる処理として実行されるが、プリンタにおけるソフトウェアまたはハードウェアによる処理として実行される形態であってもよい。
【００１８】
次に、図１を用いて、従来の画像処理方法と、本実施形態における画像処理方法について説明する。図１（ａ）が従来の画像処理方法を示す図であり、図１（ｂ）が本実施形態の画像処理方法を示す図である。詳細は後述するが、従来の画像処理方法では、記録媒体の種類、記録目的、記録モードに基づいてカラーマッチング情報を決定するのに対し、本実施形態の画像処理方法では、記録媒体の種類と記録目的に基づいてカラーマッチング情報を決定する点である。尚、本図では、プリンタドライバによる画像処理を説明するため、ＰＣから記録装置であるプリンタに送られるのはＲＧＢ８ｂｉｔの画像信号であるがが、ＲＩＰソフトソリューションにおいてはＲＧＢ画像信号ではなくＣＭＹＫ画像信号が送られる。
【００１９】
ホスト（ＰＣ）１０９側では、記録設定手段として、記録媒体設定手段１０１、記録目的設定手段１０２、記録モード設定手段１０３、カラーマッチング処理手段１０４、カラーマッチング情報記憶手段１０５、色材色分解情報記憶手段１０６を含む。記録媒体設定手段１０１は、記録に用いる記録媒体の種類を設定する。本実施形態では、「光沢紙」「普通紙」「マット紙」の中から、画像を記録する記録媒体の種類を選択する。記録目的設定手段１０２は、記録目的の選択および設定を行う。本実施形態では、「ポートレート写真」、「風景写真」「色差最小」「鮮やかさ優先」等の記録目的の中から１つを選択し、設定する。記録モード設定１０３では、記録モードの選択および設定を行う。本実施形態で実行可能な記録モードの中には、画質を優先するモードや、記録スピードを優先するモードがある。インクジェットプリンタの場合、記録目的を設定することにより、マルチパス記録のパス数、記録ヘッドを搭載したキャリッジの走査速度、画像の解像度等が決定する。本実施形態では、「高精細」「最高」「きれい」「標準」「速い」の５つの記録モードの中から選択する。
【００２０】
ここで、図３に記録条件を設定するためのメニュー画面３０の一例を示す。フィールド３１では、入力画像データの色空間を設定する。ここでは、「ｓＲＧＢ」「ＡｄｏｂｅＲＧＢ」「画像から取得」の３種類から１つを選択する例を示す。「画像から取得」が選択された場合には、画像データのヘッダ等を調べて入力画像データの入力条件を設定する。フィールド３２では、画像を記録する記録媒体の種類を設定する。フィールド３３では、「高精細」「最高」「きれい」「標準」「速い」の５つの記録モードの中から１つを選択する。フィールド３４では、「カラー写真（人物）」「カラー写真（風景）」「色差最小」「色補正なし」の５つの記録目的の中から１つを設定する。これらの各条件の選択及び設定が完了した後、フィールド３５の「ＯＫ」をクリックすることにより入力が完了し、次の工程に進む。前の工程（不図示）に戻りたい場合は、フィールド３６の「キャンセル」をクリックする。
【００２１】
図１に戻り、カラーマッチング処理手段１０４は、カラー調整処理手段（不図示）によりカラー調整されたＲＧＢ信号の画像データが入力されると、カラーマッチング情報記憶手段からカラーマッチング情報を読み出す。そして、カラーマッチング情報を用いて、入力されたＲＧＢ信号の画像データを、所謂デバイスＲＧＢ値であるＲ’Ｇ’Ｂ’信号の画像データに変換し、出力する。一般に、カラーマッチング処理はカラーマッチング情報である３Ｄ−ＬＵＴ（３次元ルックアップテーブル）を用いて行われる。以下、この３Ｄ−ＬＵＴをカラーマッチングテーブルまたは色補正テーブルと呼ぶ。カラーマッチングテーブルは、各色１６段階もしくは３２段階の格子点をもつテーブルである。本実施形態では、８ビットのＲＧＢ信号の画像データに対し、各色１７値間隔の１６の格子点からなるテーブル、つまり１６×１６×１６＝４０９６の格子点を備えるテーブルを用いる。
【００２２】
ここで、図１（ａ）に示す従来の画像処理方法では、カラーマッチング情報記憶手段１０５は、記録媒体別、記録目的別、記録モード別にカラーマッチングテーブルを格納する。例えば、３種類の記録媒体、４種類の記録目的、５種類の記録モードに対応する記録装置の場合、カラーマッチング情報記憶手段１０５には、３×４×５＝６０種類のカラーマッチングテーブルが格納されている。一方、図１（ｂ）に示す本実施形態の画像処理方法では、カラーマッチング情報記憶手段１０５は、記録媒体別、記録目的別にカラーマッチングテーブルを格納する。すなわち、本実施形態の画像処理方法では、記録モード設定手段１０３からの設定情報が入力されない。従って、本実施形態のカラーマッチング情報は、カラーマッチング情報は、記録媒体設定手段１０１と記録目的設定手段１０２の組み合わせに基づく情報であり、記録モード設定手段１０３の情報に依存しない。よって、本発明の画像処理方法では、カラーマッチング情報記憶手段１０５に格納するカラーマッチングテーブルの数を３×４＝１２種類に低減できる。詳細は後述するが、本発明の特徴的な生成方法によって色材色分解処理手段１０７で用いる色材色分解情報を生成することで、カラーマッチングテーブルの数を低減することができるのである。
【００２３】
次に、色材色分解処理手段１０７において、カラーマッチング処理手段１０４から出力されたＲ’Ｇ’Ｂ’信号を、記録装置で使用するインク色に対応する信号に変換する。本実施形態では、Ｃ（シアン）、ｃ（淡シアン）、Ｍ（マゼンタ）、ｍ（淡マゼンタ）、Ｙ（イエロー）、Ｋ（ブラック）の６色のインクを用いる。この変換には色分解情報である色分解テーブルを用いる。この色分解テーブルは、色材色分解情報記憶手段１０６に格納されており、記録媒体別、記録モード別に格納されている。前述したように、記録媒体の種類や記録モードによって単位領域に打ち込むインク量の最大値（最大インク打ち込み量）が異なる。このため、記録条件によって再現できる色域（色再現域）が異なり、各記録条件に対応した色再現域を最大限使用するように色分解テーブルを生成する。従って、同じ記録媒体に対して異なる記録モードで画像を記録する場合には、同じＲＧＢ信号値が入力されたとしても、記録モードによって出力されるＣｃＭｍＹＫのインク色信号値が異なる。本実施形態の画像処理方法は、３種類の記録媒体と５種類の記録モードに対応し、３×５＝１５種類の色分解テーブルが色材色分解情報記憶手段１０６に格納されている。
【００２４】
尚、本実施形態では、色材色分解処理手段１０７及びハーフトーニング処理手段１０８を記録装置１１１側の構成としている。色材色分解処理手段１０７は、設定された記録媒体情報、記録モード情報等の記録条件に基づいて、色材色分解情報記憶手段１０６から適切な色分解テーブルを取得する。
【００２５】
ハーフトーニング処理手段１０８は、インク色に対応する色信号を、誤差拡散などの量子化処理によって記録ヘッドの各ノズルからのインクの吐出または非吐出に対応する吐出データに変換する。そして、この吐出データを記録制御手段（不図示）に出力する。記録制御手段は、吐出データに基づいて記録ヘッドのノズルからインク滴を吐出し、記録媒体上に画像を記録する。尚、本実施形態ではハーフトーン処理部で行われる量子化処理は２値化処理であるが、ドットパターンや装置機構の形態に応じて４値化や５値化等の処理を行ってもよい。また、本実施形態では記録に用いるインク色をＣｃＭｍＹＫの６種類としたが、例えばＣＭＹＫの４種類としてもよいし、更にＲ（レッド）、Ｇ（グリーン）、Ｂ（ブルー）、Ｇｙ（グレイ）のインクを用いる形態であってもよい。
【００２６】
次に、図５を用いて、本実施形態における色材色分解情報である色分解テーブルの生成方法について説明する。本実施形態では、公知の方法で作成された色材色分解処理手段１０７における処理で用いられる記録モード毎の色分解テーブルを基に、本発明による色分解テーブルを生成する。ここでは、２種類の記録モードに対応した２つの色分解テーブルを用いて本発明の色分解テーブルを生成する方法を説明する。そこで、２つの記録モードを記録モードＡ及び記録モードＢと呼ぶ。記録モードＡは、記録モードＢよりも画質を優先するモードであり、記録モードＢよりも最大インク打ち込み量が多く、色再現域が広いものとする。
【００２７】
まず、表示部１０６と操作部１０４によって図５に示す色分解テーブル生成プログラムを起動する。この色分解テーブル生成プログラムは、外部記憶部４０３に格納されている。起動したプログラムは、以下の工程に従って行われる。
【００２８】
ステップＳ５０１において、記録モードＡ及びＢの色再現データを取得するために、複数のパッチからなるパッチチャートを記録する。パッチチャートは、ＲＧＢ値に対応した２３値間隔の各１２諧調からなる１２×１２×１２＝１７２８パッチからなるチャートである。該パッチチャートは、予め図４の外部記憶部４０３に格納されており、ホスト４００上でのプログラムに従って記録される。このパッチチャートを記録する工程は、図１に示す画像処理方法を用いて実行される。このとき、入力ＲＧＢ画像データは、パッチチャートの画像データである。
【００２９】
カラーマッチング処理手段１０４に入力されたＲＧＢ画像データは、入出力で値が変わらない処理がなされる。すなわち、入力ＲＧＢ値と同じ値が出力Ｒ’Ｇ’Ｂ’値として出力される。色材色分解処理手段１０７では、予め外部記憶部４０３に格納されている各記録モードＡ及びＢにおける色分解テーブルが選択され、色分解処理が実行される。この色分解テーブルは公知の方法で作成されたものである。その後、ハーフトーン処理手段１０８により２値化され、不図示の記録制御手段を介して記録媒体上に記録される。
【００３０】
このような処理を記録モードＡ及び記録モードＢに対してそれぞれ行うことで、２つの記録モードそれぞれに対応する色分解テーブルを用いて各記録モードを実行することにより記録されたパッチチャートを得る。すなわち、従来の方法によって生成された色分解テーブルを用いて、各記録モードでパッチチャートを記録することにより、記録装置４０７のデバイスＲＧＢ値に対する色再現情報を取得するための画像を得ることができる。
【００３１】
次に、ステップＳ５０２において、記録されたパッチチャートのパッチを図４の測色器４０８で測色し、測定値を外部記憶部４０３に格納する。測色器４０８での測色値は、Ｉ／Ｆ１０５を介して、入力ＲＧＢ値と、該ＲＧＢ値に対応するパッチの測色値（Ｌ＊ａ＊ｂ＊値）とを対応させて外部記憶部４０３に格納される。本実施形態では、記録モードＡで記録した１７２８個のパッチの入力ＲＧＢ値と、そのＬ＊ａ＊ｂ＊測色値とを対応して格納し、同様に、記録モードＢで記録した１７２８個のパッチの入力ＲＧＢ値と、そのＬ＊ａ＊ｂ＊測色値とを対応して格納する。
【００３２】
次に、ステップＳ５０３において、記録モードＡと記録モードＢのパッチチャートのＬ＊ａ＊ｂ＊測色値を用いて、色再現保持領域を決定する。ここで、色再現保持領域とは、少なくとも２つ以上の色分解テーブルにおいて、同じ入力値に対して同じＬ＊ａ＊ｂ＊測色値となる画像を記録する領域、すなわち同じ色再現域をする領域のことである。本実施形態では、記録モードＡ、Ｂそれぞれの色再現域の情報と、記録モードＡにおける色材色分解処理手段１０７で３Ｄ−ＬＵＴ処理されるパラメータの表面の格子点に対する記録測色値の情報を基に、以下の方法で色再現保持領域を決定する。
【００３３】
以下、図６及び図７を参照しながら、色再現保持領域の決定方法について説明する。まず、ステップＳ６０１において、色再現保持領域を求める為の色圧縮方向の焦点をＬ軸上に焦点Ｘを設定する。ここでは、外部記憶部４０３に記憶される記録モードＡ、Ｂのそれぞれの測色値を用いて、公知の技術によりＬ＊ａ＊ｂ＊色空間上に色再現領域曲線を算出する。図７（ａ）は、記録モードＡの全体色再現領域面７０１、記録モードＢの全体色再現領域面７０２を示す斜視図である。本実施形態において、記録モードＡの全体色再現領域面７０１の紙白部のＬｍａｘ値と、黒印刷部のＬｍｉｎ値との中点を焦点Ｘとする。なお焦点Ｘの決定法は、該中点による方法のほかに、各色相角における最大色相のＬ＊値の平均値を用いてもよい。
【００３４】
次に、ステップＳ６０２において、記録モードＡの色再現領域曲面７０１における表面の格子点ＯＡと焦点Ｘとを結ぶ直線と、記録モードＢの色再現領域曲面７０２の最外殻との交点ＯＢを算出する。図７（ｂ）は、これらを説明するための図である。まず、記録モードＡに対応する色材色分解手段１０７において、３Ｄ−ＬＵＴ処理の立方体表面上に位置する格子点から処理対象となる格子点を選択する。そして、処理対象とする格子点ＰのＬ＊ａ＊ｂ＊値の色相角（α）の情報から、図７（ｂ）に示す色相−Ｌ＊座標系を算出する。図７（ｂ）では、記録モードＡの色再現領域曲面７０１、記録モードＢの色再現領域曲面７０２を示している。そして、この座標系において、記録モードＡの色再現領域曲面７０１上の任意の点ＯＡと焦点Ｘとを結ぶ直線と、記録モードＢの色再現領域曲面７０２と、の交点ＯＢを算出する。任意の点ＯＡと焦点Ｘとを結ぶ直線の長さをＤｉｓｔ＿Ａ、交点ＯＢと焦点Ｘとを結ぶ直線の長さをＤｉｓｔ＿Ｂとし、各値を算出する。
【００３５】
次に、ステップＳ６０３において、式（１）により、Ｄｉｓｔ＿ＡとＤｉｓｔ＿Ｂを用いて、記録モードＡと記録モードＢの色再現領域曲面の差の比率Ｄｉｓｔ＿Ｒａｔｉｏを算出する。
【００３６】
Ｄｉｓｔ＿Ｒａｔｉｏ＝Ｄｉｓｔ＿Ｂ／Ｄｉｓｔ＿Ａ  ・・・・式（１）
ステップＳ６０４において、式（２）により、式（１）で算出したＤｉｓｔ＿Ｒａｔｉｏを用いて色再現保持領域の境界点ＯＢ’を算出する。
【００３７】
ＯＢ’＝（ＯＢ−Ｘ）×Ｄｉｓｔ＿Ｒａｔｉｏ＋Ｘ  ・・・・式（２）
以上の演算を、記録モードＡでの色再現領域曲面７０１上について行い、この色相角での色再現保持領域曲面７０３を算出する。
【００３８】
ステップＳ６０５において、記録モードＡの色材色分解手段１０７である３Ｄ−ＬＵＴ処理での立方体表面上の全ての格子点に対して、ステップＳ６０２〜ステップＳ６０４の処理を行ったかを確認する。全ての格子点について処理が完了していない場合には、ステップＳ６０２へ戻り、処理を繰り返す。全ての格子点について処理が完了した場合には、補間処理などの公知技術によって、記録範囲全域Ｌ＊ａ＊ｂ＊値における色再現領域面７０３を算出し、ステップＳ５０３の色再現保持領域の決定工程を終了する。
【００３９】
尚、上記処理では記録モードＡの色材色分解手段１０７である３Ｄ−ＬＵＴ処理での矩形表面上に位置する格子点に対する色相角での情報を基に行う例を示したが、予め設定した均等間隔の色相角によって同様の処理を行うことも可能である。
【００４０】
図６に戻り、ステップＳ５０４において、ステップＳ５０３において決定した色再現保持領域の情報に基づいて、色材色分解テーブルを作成する。ここでは、記録モードＡ及びＢのそれぞれに対応する２つの色分解テーブルを用いる。この２つの色分解テーブルは、公知技術によって各記録モードの色再現領域を最大限使用するように生成されたものでよく、テーブル間での相関性がなくてよい。そして、この２つのテーブルを元にステップＳ５０３で決定した色再現保持領域に基づいて、色再現保持領域内では記録モード間での色再現が一致し、色再現保持領域外では記録モード間での色再現が異なるように、２つの色分解テーブルを作り変える。本実施形態では、２つの色分解テーブルのうち、一方の色分解テーブルの出力値を変更することで、色再現保持領域内では記録モード間での色再現が一致し、色再現保持領域外では記録モード間の色再現が異なるような２つの色分解テーブルを作成する。尚、本実施形態において、色再現が一致するとは、同じ入力ＲＧＢ値が入力された場合に、各記録モードに対応するテーブルを用いて変換されたデータを、各記録モードを実行することにより記録された画像の測色値が同じとなることを示す。ここでは、２つの画像の色差ΔＥが１．２未満となる場合に測色値が同じとし、色差ΔＥが１．２以上となる場合に測色値が異なるとする。
【００４１】
尚、２つのテーブルにおいて、色再現保持領域外の色は、各記録モードの色再現特性を生かした色分解テーブルとなるように生成する。本実施形態では、従来の技術によって生成した記録モードＡに対応する色分解テーブルを用いて、記録モードＢに対応する色分解テーブルの各値を変更することにより、新たな色分解テーブルＢ’を作成する。
【００４２】
尚、色再現保持領域内での目標値は、記録モードＡ、Ｂに基づいて新たな目標値を設定して、記録モードＡ、Ｂ共に従来の公知技術によって生成した色分解テーブルを新たに生成することによっても同様の効果が得られる。
【００４３】
以下、図１０のフローチャートを用いて説明する。ステップＳ１００１では、記録モードＡの着目格子点、すなわち、対象とする格子点のＲＧＢ値に対応するＬ＊ａ＊ｂ＊値を求める。具体的には、ステップＳ５０２で測色した記録モードＡに対応するパッチチャートの各パッチの入力ＲＧＢ値と、対応するパッチの測色値と、からなる色再現データに基づいて、対象とする格子点の入力ＲＧＢ値と測色Ｌ＊ａ＊ｂ＊値を決定する。
【００４４】
ステップＳ１００２では、ステップＳ５０３で求めた色再現保持領域の情報に基づいて、決定したＬ＊ａ＊ｂ＊値が色再現保持領域内の値であるか、色再現保持領域外の値であるかを判定する。色再現保持領域外の値である場合にはステップＳ９０３へ進み、色再現保持領域内の値である場合にはステップＳ９１０に進む。
【００４５】
以下、ステップＳ１００３からステップＳ１００８において色再現保持領域外における記録モードＢに対応する色分解テーブルＢ’を生成する方法を説明する。
【００４６】
ステップＳ１００３では、処理対象とする格子点のＲＧＢ値に対応する記録色の目標とするＬ＊ａ＊ｂ＊値を算出するため、Ｌ＊の２次元座標上に写像し、目標値算出に必要な焦点Ｘを設定する。図７での説明と同様に、外部記憶部４０３に記憶されている記録モードＡ及びＢそれぞれの測色値を用い、公知の技術によりＬ＊ａ＊ｂ＊色空間上に色再現領域曲線を算出する。図１１は、その結果を示す。図１１（ａ）は、斜視図であり、図１１（ｂ）は、対象となるＲＧＢ値が記録する画像の色のＬ＊ａ＊ｂ＊値が示す点Ｏでの色相角（β）に対応する色相−Ｌ＊座標系の様子を示している。図１１（ａ）では、記録モードＡの全体色再現領域面１１０１、記録モードＢの全体色再現領域面１１０２、色再現保持領域面１１０３を示す。図１１（ｂ）では、記録モードＡの色再現領域曲面１１０４、記録モードＢの色再現領域曲面１１０５、色再現保持領域曲面１１０６を示す。本実施形態では、色相角βにおける記録モードＢの色再現領域曲面１１０５上での最大彩度座標の明度に焦点Ｘを設定する。尚、焦点Ｘは他の方法で設定してもよい。例えば、記録モードＢの紙白に相当する明度点と、黒点（最暗点）に相当する明度点との中間に焦点Ｘを設定してもよく、また、公知の方法により１つの固定焦点ではなく所定領域の範囲内でＬ＊が可変する焦点であってもよい。
【００４７】
ステップＳ１００４では、格子点Ｏと焦点Ｘとを結ぶ直線と、色再現保持領域曲面１１０６との交点Ｏｔｈを求め、交点Ｏｔｈと格子点Ｏとの距離Ｄｉｓｔ．Ｔｈ＿Ｏを算出する。
【００４８】
ステップＳ１００５では、格子点Ｏと焦点Ｘとを結ぶ直線と、記録モードＡの色再現域曲面１１０５との交点ＯＡを求め、交点Ｏｔｈと交点ＯＡとの距離Ｄｉｓｔ．Ｔｈ＿ＯＡを算出する。
【００４９】
ステップＳ１００６では、格子点Ｏと焦点Ｘとを結ぶ直線と、記録モードＢの色再現領域曲面１１０５との交点ＯＢを求める。
【００５０】
ステップＳ１００７は、格子点Ｏから色再現保持領域曲面１１０６までの比率Ｄｉｓｔ．Ｔｈ＿Ｒａｔｉｏを、以下の式（３）によって求める。
【００５１】
Ｄｉｓｔ．Ｔｈ＿Ｒａｔｉｏ＝Ｄｉｓｔ．Ｔｈ＿Ｏ／Ｄｉｓｔ．Ｔｈ＿ＯＡ・・・・式（３）
ステップＳ１００８は、記録モードＡの格子点Ｏに対応する記録モードＢの格子点Ｏ’を式（４）によって算出する。
Ｏ’＝（ＯＢ−Ｏｔｈ）×Ｄｉｓｔ．Ｔｈ＿Ｒａｔｉｏ＋Ｏｔｈ・・・・式（４）
【００５２】
これにより、格子点Ｏ’のＬ＊ａ＊ｂ＊値を算出することができる。尚、本実施形態では、対象とする格子点Ｏが保持領域外である場合は、上記Ｓ１００３からＳ１００８の処理で求めたが、公知の色域圧縮方法などを用いて格子点Ｏ’のＬ＊ａ＊ｂ＊値を求めてもよい。また、紙白から一次色へのライン上の格子点は、一次色で構成されるように格子点データを求めてもよい。特に、イエローは、他の色材色が入ってくると粒状性が悪くなる傾向があるため、基の色分解テーブルの一次色のライン上に格子点を圧縮することで、これを回避することが可能である。
【００５３】
ステップＳ１００９は、処理対象とする格子点ＯのＲＧＢ値に対応する記録色の目標とするＬ＊ａ＊ｂ＊値が、保持領域内である場合の工程である。この工程では、記録モードＡの格子点Ｏに対応する記録モードＢの格子点Ｏ’のＬ＊ａ＊ｂ＊値を、記録モードＡの格子点ＯのＬ＊ａ＊ｂ＊値と同じ値にする。
【００５４】
ステップＳ１０１０は、上記ステップＳ１００１からの工程を各格子点に行い、すべての格子点が処理されたことを判断する。全ての格子点に対して処理が行われた場合は、ステップＳ１０１１に進む。一方、全ての格子点に対して処理が終了していなければ、ステップＳ１００１に戻り、次の格子点Ｏに対してステップＳ１００２からステップＳ１０１０の処理を行う。
【００５５】
ステップＳ１０１１では、上記ステップＳ１０１０までの工程において算出された各格子点Ｏ’のＬ＊ａ＊ｂ＊値となる色材値、すなわちＣｃＭｍＹｋ値を算出し、記録モードＢの格子点に格納する。本実施形態では、記録モードＢの色再現情報から、色再現領域の四面体のうちで格子点Ｏ’のＬ＊ａ＊ｂ＊値が含まれる四面体を探索する。そして、格子点Ｏ’のＬ＊ａ＊ｂ＊値に対応する記録モードＢの色材値を補間演算によって算出し、記録モードＢに対応する色分解テーブルＢ’の格子点データとして格納する。
【００５６】
以上の処理を実行することにより生成された色分解テーブルを図１２に示す。本実施形態によって生成された記録モードＢ’に対応する色分解テーブルは、色再現保持領域内に存在する格子点に対する出力値が記録モードＡに対応する色分解テーブルの格子点に対する出力値と一致する。ここで、出力値とは、記録された画像を測色した測色値のことである。すなわち、同じ入力ＲＧＢ値に対して、記録モードＡで記録された画像の測色値と、記録モードＢで記録された画像の測色値とが同じとなる。そして、保持領域外に存在する格子点に関しては、同じ入力ＲＧＢ値に対して、記録モードＡで記録された画像の色味と、記録モードＢで記録された画像の色味とが等しく感じられるような画像を記録することができる。
【００５７】
図１３に示すように、従来の方法では、同じＲＧＢ値に対する出力値が記録モード間で異なっていた。これは、各記録モードの色再現域を最大限に活かす設計になっているためである。このように、記録モード毎に出力値が異なる場合、高精度なカラーマッチング出力を行うには、図１４（ａ）に示すように、入力画像のＲＧＢ値をカラーマッチングするためのカラーマッチングテーブルを記録モード毎に用意しておく必要があった。
【００５８】
一方、本発明では、色再現保持領域を設定し、色再現保持領域内では記録モード間での出力値が同じになるように、且つ、色再現保持領域外では記録モード間での色味が同じになるように色分解テーブルを生成する。このような色分解テーブルを用いることにより、同じＲＧＢ値が入力された場合に、記録モード毎に異なる色の画像が記録されないような色分解処理を行うことができる。これにより、図１４（ｂ）に示すように、複数の記録モード間に共通する１つのカラーマッチングテーブルを用意すればよく、メモリ容量の増大化を抑制することができる。
【００５９】
尚、最も出力色再現域の狭い記録モードに合わせて色分解テーブルを設計すれば、記録モード間で出力値を合わせることが可能であるが、各記録モードの色再現領域を最大限に生かすことができず、階調性の乏しい画像表現になってしまう。
【００６０】
本発明は、各記録モードの色再現領域を最大限に活かし、入力値に対する出力値を最大限合わせることで、入力画像をカラーマッチングするために必要とする情報量を削減できる。そして、その結果、プリンタドライバを格納するために要するホスト１００の外部記憶部１０３の容量を少なくすることができる。
【００６１】
さらに、本実施形態では、同一記録媒体に記録を行う場合に、複数の記録モード間の色分解テーブルを本発明の方法で作成するように説明したが、これに限らず、記録媒体間でも保持領域内は出力値が等しくなるように設計することでも同様の効果が得られる。このように色分解テーブルを生成することで、紙白や発色傾向が類似している記録媒体間でもカラーマッチングテーブルを共通で使用することができるため、情報量を少なくし、メモリ容量を低減できる。
【００６２】
また、ユーザが独自にＩＣＣプロファイルなどのカラーマッチングテーブルを作成する場合においても、記録モード毎に作成する必要が無くなるため、工数を削減することが可能となる。さらに、記録モード毎にカラープロファイルを指定する必要も無くなるため、ユーザの利便性も向上する。
【００６３】
（第２の実施形態）
次に、本発明の第２の実施形態を示す。本実施形態は、図５のステップＳ５０３における色再現保持領域の決定工程における他の実施形態を示すものであり、その他の工程については、第１の実施形態と同じであるため、省略する。
【００６４】
前述の第１の実施形態では、記録モードＡと記録モードＢとの色再現域の差に応じて色再現保持領域を求めたが、図８に示すように、色再現域が相対的に狭い記録モードＢに対して、色再現保持領域を一律に決めてもよい。図７と同様に、外部記憶部４０３に記憶されている記録モードＡ及び記録モードＢそれぞれの測色値を用いて、公知の技術によりＬ＊ａ＊ｂ＊色空間上に色再現領域曲線を算出する。図８は、その結果を示す図であり、図８（ａ）は斜視図である、図８（ｂ）は任意の色相角（θ）上の様子を示している。図８（ａ）は、記録モードＡの全体色再現領域面８０１、記録モードＢの全体色再現領域面８０２を示す。図８（ｂ）は、記録モードＡの色再現領域曲面８０４、記録モードＢの色再現領域曲面８０５を示している。色再現保持領域曲面８０６は、記録モードＢの色再現領域曲面８０５を一律等間隔で縮小することで算出することができる。該結果を用い、前記説明と同様にして、記録範囲全域Ｌ＊ａ＊ｂ＊値における色再現保持領域面８０３を算出し、ステップＳ５０３の色再現保持領域の決定工程を終了する。
【００６５】
（第３の実施形態）
次に、本発明の第３の実施形態を示す。本実施形態は、図５のステップＳ５０３における色再現保持領域の決定工程における他の実施形態を示すものであり、その他の工程については、第１の実施形態と同じであるため、省略する。
【００６６】
前述の第１及び第２の実施形態では、各記録モードにおける色再現領域を測色した結果から色再現保持領域を算出することによって決定していた。本実施形態では、相対的に色再現領域の狭い記録モードＢの３Ｄ−ＬＵＴ処理における格子点での記録色であるＬ＊ａ＊ｂ＊値によって色再現保持領域を決定する。
【００６７】
図９は、記録モードＢでの色材色分解処理手段における３Ｄ−ＬＵＴ処理のカラーパラメータの概念を表した図である。格子点は１６格子から形成しているので入力ＲＧＢ信号データの格子点の値をＲ（ｉ），Ｇ（ｊ），Ｂ（ｋ）（但し、ｉ，ｊ，ｋ＝０，１，２，・・・１５）と表す。カラーパラメータとしての格子点では、Ｒ（ｉ），Ｇ（ｊ），Ｂ（ｋ）の入力値に対して、目標のＬ＊ａ＊ｂ＊値の記録色が再現するように、色材色信号（ＣｃＭｍＹＫ出力値）が設定されている。カラーパラメータ９００は、すべてのカラーパラメータを表している。一方、カラーパラメータ９１０は、カラーパラメータ９００の所定格子点数内部側のカラーパラメータを表している。格子点９０１、９０２、９０３，９０４、９０５、９０６、９０７、９０８は、頂点部分を示し、そこでの入力ＲＧＢ値に対する色材色信号のＣｃＭｍＹＫ値が設定され、記録色を再現することになる。９０１での入力ＲＧＢ値は、Ｒ（０），Ｇ（０），Ｂ（０）である。９０２はＲ（１５），Ｇ（０），Ｂ（０）である。９０３はＲ（１５），Ｇ（０），Ｂ（１５）である。９０４はＲ（０），Ｇ（０），Ｂ（１５）である。９０５はＲ（０），Ｇ（１５），Ｂ（０）である。９０６はＲ（１５），Ｇ（１５），Ｂ（０）である。９０７はＲ（１５），Ｇ（１５），Ｂ（１５）である。９０８はＲ（０），Ｇ（１５），Ｂ（１５）である。これらの各入力値に対して、色材色信号値ＣｃＭｍＹＫが対応付けられ記録色を再現する。本実施形態では、色再現保持領域を決定する領域をカラーパラメータ９００から所定格子点数内部のカラーパラメータから生成することが第三の実施形態の特徴である。ここでは、所定格子点数を２とする。これは、少なくとも１以上の値であればよい。そこで、カラーパラメータ９１０での格子点の入力ＲＧＢ値は、９１１はＲ（２），Ｇ（２），Ｂ（２）である。９１２はＲ（１３），Ｇ（２），Ｂ（２）である。９１３はＲ（１３），Ｇ（２），Ｂ（１３）である。９１４はＲ（２），Ｇ（２），Ｂ（１３）である。９１５はＲ（２），Ｇ（１３），Ｂ（２）である。９１６はＲ（１３），Ｇ（１３），Ｂ（２）である。９１７はＲ（１３），Ｇ（１３），Ｂ（１３）である。９１８はＲ（２），Ｇ（１３），Ｂ（１３）である。これらの各入力値に対して、色材色信号値ＣｃＭｍＹＫが対応付けられ記録色を再現する。これらの頂点からなるカラーパラメータ９１０の色再現領域が色再現保持領域と決定される。具体的には、前記説明と同様に記録モードＢで記録し外部記憶部４０３に格納されている１７２８種類のパッチ部のＬ＊ａ＊ｂ＊測色値から公知技術によってカラーパラメータ９１０での色再現領域を演算することによって可能である。
【００６８】
（その他の実施形態）
尚、上述の実施形態では、入力画像データがＲＧＢ値である場合の例で説明を行ったが、図１５に示すように、入力画像データがＣＭＹＫ値である場合でも、同様の効果が得られる。以下にＣＭＹＫデータを扱う画像処理部について説明する。ホスト側では、記録設定手段として、ターゲット設定手段１６０１、記録媒体設定手段１６０２、記録目的設定手段１６０３、記録モード設定手段１６０４を備える。さらに、カラーマッチング処理手段１６０５、ＣＭＹＫ−Ｌ＊ａ＊ｂ＊変換手段１６０６、Ｌ＊ａ＊ｂ＊−ＣＭＹＫ変換手段１６０７、ターゲット情報記憶手段１６０８、プリンタ情報記憶手段１６０９、色材色分解情報記憶手段１６１０を備える。ターゲット設定手段１６０１では、ＳＷＯＰやＪａｐａｎＣｏｌｏｒなどのＣＭＹＫ信号を規定する情報が設定される。記録媒体設定手段１６０２では、記録する為の記録媒体の種類を設定する。例えば、「光沢紙」「コート紙」「普通紙」などから画像を記録する記録媒体の種類を選択し、設定する。記録目的設定手段１６０３では、「写真調」「色差最小」「鮮やかさ優先」等の複数の記録目的の中から１つを選択し、設定する。記録モード設定手段は、前述の実施形態と同様であるため、省略する。
【００６９】
カラーマッチング処理手段１６０５は、ＣＭＹＫ−Ｌ＊ａ＊ｂ＊変換手段１６０６とＬ＊ａ＊ｂ＊−ＣＭＹＫ変換手段１６０７から構成される。ＣＭＹＫ画像データが入力され、ターゲット設定手段１６０１、記録媒体設定手段１０１と記録目的設定手段１０２の設定値に応じてターゲット情報記憶手段１６０８、プリンタ情報記憶手段１６０９から適切なカラーマネージメント情報を読み出す。そして、その値で処理を行い、Ｃ’Ｍ’Ｙ’Ｋ’の画像データ信号を出力する。ＣＭＹＫ−Ｌ＊ａ＊ｂ＊変換手段１６０６は、ターゲット設定手段１６０１で設定された情報に基づいて、ターゲット情報記憶手段から適切なＩＣＣカラープロファイルを選択して処理を行う。ここでは、ＣＭＹＫ信号値をＩＣＣカラーファイルで定義されるＬ＊ａ＊ｂ＊値に変換する。Ｌ＊ａ＊ｂ＊−ＣＭＹＫ変換手段１６０７は、記録媒体設定手段１６０２と記録目的手段１０６０で設定された情報に基づいて、プリンタ情報記憶手段１６０９から適切なＩＣＣカラープロファイルを選択して処理を行う。ここでは、Ｌ＊ａ＊ｂ＊信号値をＩＣＣカラーファイルで定義される記録装置固有のＣ’Ｍ’Ｙ’Ｋ’値に変換する。該Ｌ＊ａ＊ｂ＊−ＣＭＹＫ変換手段１６０７は、公知の３Ｄ−ＬＵＴ処理によって行われる。この３Ｄ−ＬＵＴ処理は、格子点数が各色１６段階や３２段階から構成されている。前記説明でのＲＧＢ処理との違いは、３次元データ入力に対して、出力が３次元ではなく４次元の信号を出力することである。色材色分解情報記憶手段１６１０は、色材色分解処理手段１６１１でＣＭＹＫ画像信号から色材色であるＣｃＭｍＹＫの６画像信号に変換するカラーパラメータが色材色分解情報として格納されている。これは、前記説明でのＲＧＢ信号の入力に対して、ここではＣＭＹＫ信号の４次元信号入力による４Ｄ−ＬＵＴ処理であり、公知の技術よって実施可能である。該色材色分解情報は、記録媒体別、記録モード別の情報からなる。そして、前述したように、記録モードによって最大吐出量が異なるため、記録モードによって色再現が異なる。すなわち、同じ記録媒体に対して記録する場合であっても、同じ入力ＣＭＹＫ信号値に対して出力値であるＣｃＭｍＹＫインク色信号値が記録モード毎に異なる。このため、出力値が異なる。すなわち、記録された画像の色を測色した測色Ｌ＊ａ＊ｂ＊値が異なる値を示す。従って、３種類の記録媒体、５種類の記録モードに対応する場合には、該情報として３×５＝１５種類の色材色分解情報が色材色分解情報記憶手段１６１０に格納されている。
【００７０】
記録装置側では、色材色分解処理手段１６１１、ハーフトーニング処理手段１６１２を本発明の構成上必要な手段として示している。色材色分解処理手段１６１１は、上記の色材色分解情報記憶手段１６１０から設定された記録媒体情報、記録モード情報に基づいて適切な色材色分解情報のカラーパラメータが設定されて処理が行われる。該色材色分解処理手段１６１１も公知の４Ｄ−ＬＵＴ処理によって行われる。ハーフトーニング処理手段１６１２は、前述の実施形態と同様であるため、省略する。
【００７１】
以上のように、入力画像データがＣＭＹＫ信号である場合の処理であっても、予め作成した各記録モードに対応する色材色分解情報に基づき、該情報における色再現領域情報と格子点のＣＭＹＫ値情報によって本発明を実施することができる。
【００７２】
尚、本発明は上記実施形態を実現する為の装置および方法のみに限定されるものではない。上記システム又は装置内のコンピュータ（ＣＰＵやＭＰＵ）に、上記実施形態を実現するためのプログラムを供給し、このプログラムに従って上記システムあるいは装置のコンピュータが上記各デバイスを動作させることにより上記実施形態を実現してもよい。
【００７３】
また、このようなプログラムを格納する記憶媒体としては、例えば、フロッピー（登録商標）ディスク、ハードディスク、光ディスク、光磁気ディスク、ＣＤ−ＲＯＭ，磁気テープ、不揮発生のメモリーカード、ＲＯＭ等を用いることができる。
【００７４】
また、上記コンピュータが、供給されたプログラムのみに従って各種デバイスを制御することにより、上記実施形態の機能が実現される場合に限らない。上記プログラムがコンピュータ上で稼働しているＯＳ（オペレーティングシステム）、あるいは他のアプリケーションソフト等と共同して上記実施の形態が実現されてもよい。
【符号の説明】
【００７５】
１０１  記録媒体設定手段
１０２  記録目的設定手段
１０３  記録モード設定手段
１０４  カラーマッチング処理手段
１０５  カラーマッチング情報記憶手段
１０６  色材色分解情報記憶手段
１０７  色材色分解処理手段
１０８  ハーフトーン処理手段
２０５  カラーマッチング情報記憶手段
４００  ホスト
４０１  ＣＰＵ
４０３  外部記憶部
４０４  操作部
４０５  インターフェース
４０６  表示部
４０７  記録装置
４０８  測色器
７０１  記録モードＡの色再現領域曲面
７０２  記録モードＢの色再現領域曲面
７０３  色再現保持領域曲面
【図１】
0005943666.tif 000002
【図２】
0005943666.tif 000003
【図３】
0005943666.tif 000004
【図４】
0005943666.tif 000005
【図５】
0005943666.tif 000006
【図６】
0005943666.tif 000007
【図７】
0005943666.tif 000008
【図８】
0005943666.tif 000009
【図９】
0005943666.tif 000010
【図１０】
0005943666.tif 000011
【図１１】
0005943666.tif 000012
【図１２】
0005943666.tif 000013
【図１３】
0005943666.tif 000014
【図１４】
0005943666.tif 000015
【図１５】
0005943666.tif 000016